(57)【要約】【課題】入力操作に応じて適正な音響ガイダンスを行わせることができる給湯器のリモコン装置を提供する。【解決手段】リモコン装置は、アップダウンスイッチ７６ａ，７６ｂのような湯温度等の数値設定等の繰り返し操作が必要な入力操作について、所定時間内に繰り返し受付けられた場合には、音声によるガイダンスが省略される。そのため、アップダウンスイッチ７６ａ，７６ｂが入力操作されたことを明確に認識できると共に、短期間での操作受付けのたびに音声ガイダンスが発生されることがないので、同じ音声を頻繁に聞かされることはない。一方、かかる入力操作を、所定時間経過後に行ったときは、音声ガイダンスが行われるので、入力操作内容を把握することができる。【選択図】図１
2008241241.tif 000002
【特許請求の範囲】
【請求項１】
給湯器の動作を指令する入力操作の受付け状態を音声、ブザー等の音響で報知する音響ガイダンス機能を有する給湯器のリモコン装置において、
前記入力操作が、数値設定等の繰り返し操作が必要なものである場合に、該入力操作を所定時間内に繰り返し受付けたときには、音声によるガイダンスを省略するようにしたことを特徴とする給湯器のリモコン装置。
【発明の詳細な説明】
【技術分野】
【０００１】
本発明は、給湯器のリモコン装置に係り、特に給湯、追焚き等が自動的に行われる給湯器のリモコン装置に関する。
【背景技術】
【０００２】
従来、例えば全自動ふろ装置のような自動給湯機能を備えた給湯器においては、給湯リモコン及びふろリモコンが備えられており、給湯開始及び停止、給湯温度変更、ふろ温度変更、湯量変更、保温時間変更、ふろ自動運転開始及び停止、あつめ開始及び停止、あつめ温度変更、たし湯開始及び停止、たし湯量変更、ぬるめ開始及び停止等の給湯器の動作を指令する入力操作がスイッチにより行われるようになっている。さらに、これらリモコンには、入力操作の受付け時に、入力操作に応じたブザー、音声等による案内が行われる音響ガイダンス機能が設けられており、入力操作内容を音で識別可能としている。これにより、入力操作を間違えたときに、すぐにそれを認識して是正できると共に、高温出湯等の危険状態を直ちに通報し、事故を未然に防止できるようになっている。
【０００３】
しかし、上記入力操作に対応して音響ガイダンスを原則通りに行うことにより、かえって音響ガイダンスを行うことによる利点が損なわれることもある。例えば、給湯温度変更スイッチのように通常は同じ操作を繰り返すような入力操作については、操作受付けのたびに音声ガイダンスを発生させるのでは、同じ音声を頻繁に聞かされることになるため、非常に煩わしいことになる。このような同じ操作が繰り返される入力操作に対しては、一連の操作終了後に、まとめて音声ガイダンスを行うことも考えられる。しかし、入力操作に対して音声ガイダンスを行う趣旨としては、入力操作を間違えないように行うことであるため、入力操作後に直ちにガイダンスを行うことが必要であり、操作終了後に一括して音声ガイダンスを行うことは好ましくない。
【発明の開示】
【発明が解決しようとする課題】
【０００４】
本発明は、上記問題を解決しようとするもので、スイッチによる入力操作に対応して音響ガイダンスを行う場合に、入力操作に応じて適正な音響ガイダンスを行わせることができる給湯器のリモコン装置を提供することを目的とする。
【課題を解決するための手段】
【０００５】
上記目的を達成するために本発明の構成上の特徴は、給湯器の動作を指令する入力操作の受付け状態を音声、ブザー等の音響で報知する音響ガイダンス機能を有する給湯器のリモコン装置において、入力操作が、数値設定等の繰り返し操作が必要なものである場合に、入力操作を所定時間内に繰り返し受付けたときには、音声によるガイダンスを省略するようにしたことにある。
【０００６】
上記のように本発明を構成したことにより、数値設定等の繰り返し操作が必要な入力操作について、所定時間内に繰り返し受付けられた場合には、音声によるガイダンスが省略されるので、入力操作されたことを明確に認識できると共に、短期間での操作受付けのたびに音声ガイダンスが発生されることがないので、同じ音声を頻繁に聞かされることはない。一方、かかる入力操作を、所定時間経過後に行ったときは、音声ガイダンスが行われるので、入力操作内容を把握することができる。
【発明の効果】
【０００７】
本発明においては、数値設定等の繰り返し操作が必要な入力操作について、所定時間内に繰り返し受付けられた場合には、音声によるガイダンスが省略されるので、入力操作されたことを明確に認識できると共に、短期間での操作受付けのたびに同じ音声を頻繁に聞かされることはない。
【発明を実施するための最良の形態】
【０００８】
以下、本発明の一実施の形態を図面を用いて説明する。図１は、実施形態に係る給湯・ふろ追焚機能付給湯器（以下、給湯器と記す）の構成を概略的に示したものである。この給湯器は、厨房や浴槽に湯を供給する給湯部Ａと、浴槽３８を保温するふろ保温部Ｂと、動作を制御するコントローラ６０と、スイッチ操作によりコントローラ６０に指令を行いまた指令の内容を表示する厨房等に設けられる給湯リモコン７０と、浴室内等に設けられるふろリモコン８０とを備えている。
【０００９】
給湯部Ａは、給湯部本体１０の内胴１１内に外部から配管された給水管Ｐ1 と出湯管Ｐ2を設けており、両管Ｐ1 ，Ｐ2 の間にフィンチューブ型熱交換器１２を設けている。内胴１１の熱交換器１２の下側の燃焼室１１ａには、熱交換器１２を加熱する一対のガスバーナ１３が設けられ、ガスバーナ１３にはガス供給管ＰGから分岐された一対のガス供給管ＰG1が連結されている。ガスバーナ１３の上部着火位置の近傍には、イグナイタ１４に接続されてガスに着火する電極１５が設けられると共に、ガスの燃焼状態を検出するフレームロッド１６が設けられている。ガス供給管ＰGには、ガス供給管ＰG1分岐位置の上流側において上流側から順に管路を開閉しガス供給源からのガスの供給を行う元電磁弁１７と、ガス通過量の調整を行う比例制御弁１８とが設けられている。また、ガス供給管ＰG1には、管路を開閉する切替え電磁弁１９が設けられている。そして、バーナ１３の着火によるガスの燃焼により熱交換器１２が加熱され、この熱が熱交換器１２内を通過する水に伝達され、湯となって出湯管Ｐ2に供給されるようになっている。
【００１０】
内胴１１内の熱交換器１２の下流側には、排気ガスを外部に排出する排気トップ２１が設けられている。また、内胴１１内の底部には、ファン２２が設けられており、その回転軸にファンモータ２３に連結されている。給水管Ｐ1 には、上流側から順にストレーナ２５と、水量センサ２６と、水温センサ２７と、水量制御モータ２８とが介装されている。出湯管Ｐ2 には、熱交換器１２の出口近傍と湯出口近傍の２ヶ所に湯温センサ３１ａ、３１ｂが介装されており、湯出口端には管路を開閉する給湯栓３２が取り付けられている。給水管Ｐ1と出湯管Ｐ2 は、中間位置で湯温調整用のバイパス制御弁３３が介装されたバイパス管ＰB により連結されている。そして、出湯管Ｐ2 は、湯温センサ３１ｂの下流側近傍位置にて、ふろ保温部Ｂに延出される給湯管Ｐ3に分岐される。
【００１１】
給湯管Ｐ3 は、浴槽３８に取り付けられたバスアダプター３９から延出した循環給湯管Ｑ１の途中に合流連結されている。給湯管Ｐ3には、上流側から順に給湯管Ｐ3 を開閉する給湯電磁弁３４と、浴槽３８側に供給される湯量を検出する落とし込み水量センサ３５と、逆止弁３６が介装されている。
【００１２】
ふろ保温部Ｂは、保温部本体４０の内胴４１内に、外部から配管された上記循環給湯管Ｑ1 とバスアダプター３９に戻される循環出湯管Ｑ2 を設けており、両管Ｑ1 ，Ｑ2 の間にフィンチューブ型熱交換器４２を設けている。内胴４１は、熱交換器４２の下側が燃焼室４１ａになっており、またその底部において給湯部本体１０の内胴１１と連通しており、燃焼室４１ａ内にファン２２によってエアーの供給を受けられるようになっている。燃焼室４１ａには、熱交換器４２を加熱するガスバーナ４３が設けられ、ガスバーナ４３にはガス供給管ＰGから分岐して延出したガス供給管ＰG2が連結されている。ガスバーナ４３の上部着火位置の近傍には、上記イグナイタ１４に接続されてガスに着火する電極４４が設けられると共に、ガスの燃焼状態を検出するフレームロッド４５が設けられている。ガス供給管ＰG2には、管路を開閉する切替え電磁弁４６が設けられている。内胴４１内の熱交換器４２の下流側には、排気ガスを外部に排出する排気トップ４７が設けられている。
【００１３】
循環給湯管Ｑ1には、給湯管Ｐ３の連結部分の上流側に、湯温センサ４８が介装されており、下流側には循環ポンプ４９と流水スイッチ５１が介装されている。また、循環出湯管Ｑ2の熱交換器４２出口近傍には、出湯温センサ５２が介装されている。
【００１４】
給湯器は、給湯及びふろ追い焚き等の動作を電気的に制御するためのコントローラ６０を設けている。コントローラ６０は、図２に示すように、ＣＰＵ，ＲＯＭ，ＲＡＭ，タイマー，Ｉ／Ｏ等からなるマイクロコンピュータ等により構成された制御部６１を備えている。コントローラ６０の入力側には、上記センサ類（フレームロッド１６、水量センサ２６、水温センサ２７、湯温センサ３１ａ，３１ｂ、落とし込み水量センサ３５、フレームロッド４５、湯温センサ４８、流水スイッチ５１、出湯温センサ５２）が接続されている。コントローラ６０の出力側には、上記駆動部品類（イグナイタ１４、元電磁弁１７、比例制御弁１８、切替え電磁弁１９、ファンモータ２３、水量制御モータ２８、バイパス制御弁３３、給湯電磁弁３４、切替え電磁弁４６、循環ポンプ４９）が接続されている。さらに、制御部６１には、給湯リモコン７０及びふろリモコン８０との間の信号の送受信を行うための通信回路６２が接続されている。さらに、通信回路６２には、給湯リモコン７０及びふろリモコン８０が接続される接続端子ｘが設けられている。また、コントローラ６０に給電するための電源回路６３が設けられている。
【００１５】
給湯リモコン７０は、図３に示すように、厨房の壁等に取り付けられる正方形の薄型のケース７１を備えている。ケース７１の前面には、上側に給湯温度、ふろ予約時間等を表示する表示部７２と、表示部７２の下側に横方向に右側から給湯スイッチ７３と、スピーカ７４と、ふろスイッチ７５とが配列されており、さらに給湯スイッチ７３の上側にアップスイッチ７６ａ及びダウンスイッチ７６ｂが配列されている。また、ケース７１の前面下側には、下端で支持された開閉可能なカバー７７が設けられており、カバー７７で覆われた内側にはふろ予約セット７８が設けられている。
【００１６】
ふろリモコン８０は、図４に示すように、ふろの壁等に取り付けられる横長の長方形の薄型のケース８１を備えている。ケース８１の前面には、上側中央にふろ温度、給湯温度、ふろ予約時間等を表示する表示部８２が配設されており、表示部８２の右横には、上下に給湯スイッチ８３と、スピーカ８４が配列されている。また、表示部８２の左横には、上下にふろスイッチ８５と、あつめスイッチ８６が配列されている。また、ケース８１の前面下側には、下端で支持された開閉可能なカバー８７が設けられており、カバー８７で覆われた内側には、右から順に給湯温度のアップスイッチ８８ａ及びダウンスイッチ８８ｂ、ぬるめスイッチ８９、たし湯スイッチ９０、ふろ温度のアップスイッチ９１ａ及びダウンスイッチ９１ｂと、湯量を変更するためにスイッチ９１ａ，９１ｂに切り替える湯量スイッチ９２が配列されている。なお、両リモコン７０，８０の表示部７２，８２に表示される「優先」の文字については、どちらのリモコンで給湯温度を設定しているのかを明示するために表示されるものである。
【００１７】
給湯リモコン７０及びふろリモコン８０については、図５示すように、給湯リモコン７０のケース７１内に、マイクロコンピュータ等からなる共通の制御部９３が設けられている。制御部９３は、コントローラ６０との協働により、図６，図７に示す「メインプログラム」と「タイマー割り込みプログラム］の実行を続けるようになっている。制御部９３の入力側には操作スイッチである給湯スイッチ７３と、ふろスイッチ７５と、アップスイッチ７６ａ及びダウンスイッチ７６ｂと、ふろ予約スイッチ７８と、給湯スイッチ８３と、ふろスイッチ８５と、あつめスイッチ８６と、給湯温度アップスイッチ８８ａ及びダウンスイッチ８８ｂと、ぬるめスイッチ８９、たし湯スイッチ９０と、ふろ温度アップスイッチ９１ａ及びダウンスイッチ９１ｂと、湯量スイッチ９２とが接続されている。また、制御部９３の出力側には、表示部７２，８２が接続されており、さらにブザー，音声発生回路９４を介してスピーカ７４，８４が接続されている。
【００１８】
また、給湯リモコン７０及びふろリモコン８０には、コントローラ６０との間でスイッチ情報を送信し、表示，ブザー情報の信号の受信するための通信回路９５が接続されており、通信回路９５には、コントローラ６０に接続する端子ｙが設けられている。さらに、両リモコン７０，８０に給電するための電源回路９６が設けられている。
【００１９】
つぎに、給湯リモコン７０及びふろリモコン８０のスイッチ操作により発生するブザー音表示及び音声表示の種類の一例について説明する。
ブザー音表示については、図１３（ａ）に示すように、給湯開始等の場合に用いられる開始音ブザー２と、給湯停止等の場合に用いられる停止音ブザー３と、湯が高温であることを警告する高温ブザー４と、湯温が４２℃であることを表す４２℃ブザー５と、その他の場合を示すクリック音ブザー６の５種類である。なお、以下の説明でブザー鳴動無しの状態を１で示すことにする。ここでは、開始音ブザー２の場合、１００ｍｓｅｃオン−１２０ｍｓｅｃオフ−１００ｍｓｅｃオン−２０ｍｓｅｃオフで一単位となっている。その他のブザーについては図１３（ａ）に示すとおりである。これにより、ブザーの作動態様から給湯器の状態を判断することができる。
【００２０】
音声表示については、図１３（ｂ）に示すように、「熱いお湯がでます７」（１．２秒）、「給湯温度を変更します８」（１．２秒）、「ふろ温度を変更します９」（１．０秒）、「湯量を変更します１０」（１．０秒）、「保温時間を変更します１１」（１．２秒）、「湯張りします１２」（１．０秒）、「あつめ１４」（０．６秒）、「たし湯１５」（０．６秒）、「ぬるめ１６」（０．６秒）と、メロディー音＋音声である「おふろが沸きました１３」（２．５秒）の１０種類である。
【００２１】
つぎに、スイッチ操作の態様に対するブザー表示及び音声表示の態様について説明すると、図１４に示すように、つぎのＡ〜Ｆの６種類となる。
Ａ：ブザーまたは音声を鳴らす。例として、ブザーのみの時、ブザー＋音声のとき、音声のみの時の３種類が含まれる。
Ｂ：鳴動中のブザーまたは音声を中断し、次のブザーまたは音声を鳴動する。例として、ブザーのみの時、ブザー＋音声のとき、音声のみの時の３種類が含まれる。
Ｃ：ブザーと音声の組合せで、５秒以内に同じ音声を繰り返す場合は、ブザーのみとする。例として、繰り返しの時、繰り返し以外の時の２種類が含まれる。
Ｄ：音声のみのとき、５秒以内に同じ音声を繰り返す場合は、鳴動なしとする。例として、繰り返しの時、繰り返し以外の時の２種類が含まれる。
Ｅ：操作音有効でブザー及び音声なし（鳴動中のブザーまたは音声を継続）
Ｆ：鳴動中のブザーまたは音声が終了してから次のブザーまたは音声を鳴動する。例として、ブザーのみの時、ブザー＋音声のとき、音声のみの時の３種類が含まれる。
【００２２】
実際に給湯器の各種の状態でスイッチ操作を行った場合、ブザー，音声の鳴動状態を下記表１にまとめた。
【００２３】
【表１】
2008241241.tif 000003
【００２４】
例えば、「鳴動なし１」の状態で給湯運転を開始すると、Ａ：２であるから、直ちに開始音ブザー２が鳴る。また、「あついお湯が出ます」の音声発生状態で給湯運転を開始すると、Ｂ：２であるから、音声が中断され、直ちに開始音ブザー２が鳴るが、給湯温度を高温に上げる操作、ふろ温度を上下させる操作の場合は、高温度の湯が出る等、給湯器において問題となる状態になるので、これらの入力操作については無効にされる。
【００２５】
「給湯温度を変更します」の音声発生状態で、同じ操作である給湯温度（４２℃、低温）を上下させる操作が行われると、Ｅであるから、音声発生状態は継続すると共に操作は受付けられる。給湯温度（高温）を上げる操作が行われると、Ｂ：４＋７であるから、音声発生状態は直ちに中断し、高温ブザーが鳴り「あついお湯が出ます」との音声が発生される。なお、給湯温度（高温）を下げる等の操作については有り得ない操作である（表中「−」を示す）。
【００２６】
また、給湯温度を変更させる場合のように、スイッチを繰り返し操作するような場合には、Ｃ：５＋８、Ｃ：６＋８のように、操作が５秒以内に繰り返されたときは、ブザーのみが鳴り音声発生は省略される。また、ブザーの鳴動中においては、状態２〜６に示すように、新たな入力操作については全て無効にされている。
【００２７】
つぎに、スイッチ操作により表示が変化するときのスピーカの鳴動状態を、下記表２に示す。
【００２８】
【表２】
2008241241.tif 000004
【００２９】
例えば、給湯運転開始時に温度表示が高温に変化していると、Ａ：７であるから、鳴動なし状態では「あついお湯が出ます」が音声表示される。また、給湯温度変化で表示が低温に変化していると、Ｄ：８であるから、５秒以内の繰り返しの場合は音声発生が省略されるが、繰り返しのない場合は「給湯温度を変更します」と音声発生される。なお、「変化なし」は音声に変化が無いことを意味する。また、表２中に示した表示変化１〜９以外の変化については、いずれも変化なしであり、表２には示さない。
【００３０】
つぎに、上記のように構成した実施形態の動作について説明する。
運転スイッチをオンすることにより給湯器のコントローラ６０は、燃焼運転制御の実行を開始する。一方、給湯リモコン７０またはふろリモコン８０の給湯スイッチ７３，８３をオンすることにより、制御部９３は「メインプログラム」を図６に示すステップ１００にて開始し、同時に図７に示す「タイマー割り込みプログラム」の割り込み実行をステップ１０６にて開始する。
【００３１】
制御部９３は、ＣＰＵ，Ｉ／Ｏ等の初期設定を行い、割り込み状態の初期設定を行い、さらに各種変数の初期データ設定を行う（ステップ１０１〜ステップ１０３）。初期データ設定では、操作無効フラグＳＭＦが「０」に設定され、ブザー音声鳴動要求フラグ（以下、鳴動要求フラグと記す）ＢＯＭＦ及び鳴動中記憶フラグＭＫＦがリセットされる。鳴動要求フラグＢＯＭＦは、上記ブザー音表示１〜６、音声表示７〜１６の鳴動要求を表し、それぞれの番号を付したＢＯＭＦ１〜ＢＯＭＦ１６の１６種類で表される。鳴動中記憶フラグＭＫＦは、上記ブザー音表示１〜６、音声表示７〜１６の鳴動中を記憶していることを表し、それぞれの番号を付したＭＫＦ１〜ＭＫＦ１６の１６種類で表される。
【００３２】
つづいて、制御部９３は、給湯器の制御部６１からの受信情報を解析する「受信情報解析ルーチン」を実行し（ステップ１１０）、さらにリモコン７０，８０から給湯器の制御部６１への送信する情報を設定するための「送信情報設定ルーチン」を実行する（ステップ１３０）。その後、制御部９３は、受信情報に基づいてブザーや音声出力の設定を行う「ブザー・音声出力ルーチン」を実行し（ステップ１５０）、続いて表示部７２，８２への出力を行い（ステップ１０４）、以下ステップ１１０、ステップ１３０、ステップ１５０及びステップ１０４の実行を繰り返し行う。一方、制御部９３は、「タイマー割り込みプログラム」の割り込み実行をステップ１０６にて開始し、データの送受信に関する通信状態を制御すると共に、各種スイッチの入力状態の読み込みを繰り返し実行している（ステップ１０６〜１０９）。
【００３３】
以下、両リモコン７０，８０の動作について、実施例であるスイッチ操作として繰り返し操作が必要な場合の入力操作例に基づいて説明する。入力操作例としては、給湯スイッチ７３をオンし（給湯温度設定は低温になっている）、その後、低温で温度設定変更のためにアップスイッチ７６ａを所定時間内(本例では５秒以内)に繰り返し操作する場合である。
【００３４】
「受信情報解析ルーチン」では、図８に示すように、ステップ１１０にてプログラムの実行が開始され、ステップ１１１で受信情報有りかが判定されるが、ここでは受信情報はないので「ＮＯ」と判定されプログラムはステップ１２０に移され、実行を終了する。「送信情報設定ルーチン」では、図１０に示すように、ステップ１３０にてプログラムの実行が開始され、スイッチがオンされていないときは、操作無効フラグＳＭＦを「０」にリセットし、送信情報にはスイッチオフが取り入れられる（ステップ１３１〜ステップ１３４）。なお、操作無効フラグＳＭＦは、スイッチ操作（入力操作）が無効と判断されたときに「１」を記憶し、無効と判断されないときには「０」と記憶するもので、一旦無効になったスイッチはオフするまで無効にするためのフラグである。
【００３５】
ここでは給湯スイッチ７３がオンにされていることによりプログラムはステップ１３５に移され、操作無効フラグＳＭＦが「１」か否かが判定される。ここではまだ「１」となっていないので、プログラムはステップ１３６に移され、前回スイッチがオフか否かが判定される。ここでは前回スイッチはオフなので、つぎにブザー，音声鳴動中か否かが判定される（ステップ１３７）。ここでは鳴動していないので「ＮＯ」との判定の基にプログラムはステップ１３８に移され、送信情報としてオン中の操作スイッチすなわち給湯スイッチ７３が取り入れられ、プログラムの実行が終了する（ステップ１３９）。
【００３６】
つぎに、「ブザー音声出力ルーチン」では、図１１に示すように、ステップ１５０にてプログラムの実行が開始され、ブザー音声鳴動中か否かが判定されるが（ステップ１５１）、ここでは鳴動はないので「ＮＯ」との判定の基にステップ１５２に移され、また現に鳴動がなくオフの状態にあり、さらにブザー，音声鳴動要求もないのでプログラムの実行も終了される（ステップ１５２〜ステップ１５４）。続いて、表示出力を行い（ステップ１０４）、プログラムは再び、ステップ１１０に戻される。この間、制御部９３は、「タイマー割り込みプログラム」の実行により、送信情報を通信回路を通してコントローラ６０に送信すると共に、コントローラ６０からの情報信号を受信しており、さらにスイッチ入力の読み込みを行っている（ステップ１０７〜１０９）。
【００３７】
「受信情報解析ルーチン」では、受信情報有りか否かが判定されるが、ここでは給湯スイッチ７３オンの受信情報が送られてきているので、「ＹＥＳ」と判定されプログラムはステップ１１２に移され、表示データを更新すると共に、操作有効音の指示が有るか無いかが判定される（ステップ１１３）。ここでは、操作有効音指示があるのでその内容が表１に示すＡ：２に分類される（ステップ１１４，１１５）。さらに、表示データの変化が解析され鳴動するブザーと音声を選択するが（ステップ１１６，１１７）、ここでは該当するものはないので、結果として２番の鳴動要求フラグＢＯＭＦがセットされる。
【００３８】
つづいて、今回ブザー音声要求有りか否かが判定され（ステップ１１８）、ここでは操作有効音としてＡ：２が分類されているので「ＹＥＳ」との判定の基にプログラムはステップ１２１に移される。ここで、Ａ：２に応じて「ＮＯ」と判定され、タイマリセットされた後（ステップ１２１，１２２）、受信情報ありの状態がリセットされ、その後プログラムの実行が終了する（ステップ１１９，１２０）。「送信情報設定ルーチン」では、スイッチがオフされるまではステップ１３１，１３５，１３６，１３８，１３９が繰り返し実行され、スイッチをオフにした後は、上記したと同様にステップ１３１〜ステップ１３４が実行される。
【００３９】
つぎに、「ブザー音声出力ルーチン」では、ステップ１５１にてブザー音声鳴動中か否かが判定されるが、ここでは鳴動はないので「ＮＯ」との判定の基にステップ１５２に移され、また現に鳴動が無いので、ステップ１５３にてブザー，音声鳴動要求の有無について判定される。２番の鳴動要求があるので「ＹＥＳ」との判定の基にプログラムはステップ１５５に移され、鳴動要求フラグＢＯＭＦの中から２番の開始音ブザー２が選択され、現在のブザーを識別するための鳴動中記憶フラグＭＫＦの中から２番の開始音がセットされ、さらに鳴動音フレーズが選択される（ステップ１５５〜１５７）。さらに、プログラムはステップ１５８に移され、ブザー音声鳴動出力がオンされ、開始音ブザー２が鳴動させられる。
【００４０】
開始音ブザー２が鳴動中は、プログラムはステップ１６０からメインルーチンに戻され、さらにステップ１５１で「ＹＥＳ」、ステップ１６１で「ＮＯ」と判定されてステップ１５９に移される。開始音ブザー２の鳴動が終了すると、プログラムはステップ１６２に移され、鳴動中記憶フラグＭＫＦを基に現在鳴動していた鳴動要求フラグＢＯＭＦがリセットされ、鳴動中記憶フラグＭＫＦがリセットされ、鳴動音がオフにされた後（ステップ１６２〜１６４）、プログラムは終了する（ステップ１６０）。次に、アップスイッチ７６ａの操作により、給湯温度を高温にする処理が行われる。
【００４１】
「受信情報解析ルーチン」では、ステップ１１１で受信情報有りかが判定されるが、ここでは受信情報はないので「ＮＯ」と判定されプログラムはステップ１２０に移され、実行を終了する。「送信情報設定ルーチン」では、ステップ１３１においてアップスイッチ７６ａがオンにされていると判定され、プログラムはステップ１３５に移され、操作無効フラグＳＭＦが「１」か否かが判定される。ここでは「１」となっていないので、プログラムはステップ１３６に移され、前回スイッチがオフか否かが判定される。ここではオフなので、つぎにステップ１３７にてブザー，音声鳴動中か否かが判定される。ここではブザー音声は鳴動していないので「ＮＯ」との判定の基にプログラムはステップ１３８に移され、送信情報としてオン中の操作スイッチすなわちアップスイッチ７６ａが取り入れられ、プログラムの実行が終了する（ステップ１３９）。
【００４２】
つぎに、「ブザー音声出力ルーチン」では、ステップ１５１にてブザー音声鳴動中か否かが判定されるが、ここでは鳴動はないので「ＮＯ」との判定の基にステップ１５２に移され、また現に鳴動がなくオフの状態にあり、さらに鳴動要求もないのでプログラムの実行も終了される（ステップ１５２〜ステップ１５４）。続いて、表示出力が行われ（ステップ１０４）、プログラムは再び、ステップ１１０に戻される。この間、制御部９３は、「タイマー割り込みプログラム」の実行により、送信情報を通信回路を通してコントローラ６０に送信すると共に、コントローラ６０からの情報信号を受信している。
【００４３】
「受信情報解析ルーチン」では、ステップ１１１にて受信情報有りか否かが判定されるが、ここではアップスイッチ７６ａがオンの受信情報が送られてきているので、「ＹＥＳ」と判定されプログラムはステップ１１２に移され、表示データを更新すると共に、操作有効音の指示が有るか無いかが判定される（ステップ１１３）。ここでは、操作有効音指示があるのでその内容が表１に示すＣ：６＋８に分類される（ステップ１１４，１１５）。さらに、表示データの変化が解析され鳴動するブザーと音声が選択され（ステップ１１６，１１７）、ここでもＤ：８に分類されるが、合成した結果は操作を優先しＣ：６＋８となり、６番と８番の鳴動要求が選択される。
【００４４】
つづいて、今回ブザー音声要求ありであり、ブザー音声設定が表中の「Ｃ」または「Ｄ」に該当するか否かが判定されるが（ステップ１１８，１２１）、ここでは該当するので「ＹＥＳ」との判定の基にプログラムはステップ１２３に移され、タイマーカウント中か否かが判定される。ここではカウントされていないので、「ＮＯ」と判定され、タイマースタート５秒が開始される（ステップ１２４）。その後、受信情報ありの状態がリセットされ、プログラムの実行が終了する（ステップ１１９，１２０）。
【００４５】
「送信情報設定ルーチン」では、操作無効フラグＳＭＦが「１」か否かが判定される。ここでは前回「１」にしていないので、プログラムはステップ１３６に移され、前回スイッチがオフか否かが判定される。ここではアップスイッチ７６ａがオンなので、「ＮＯ」との判定の基にプログラムはステップ１３８に移され、送信情報としてオン中の操作スイッチすなわちアップスイッチ７６ａが取り入れられ、プログラムの実行が終了する（ステップ１３９）。
【００４６】
つぎに、「ブザー音声出力ルーチン」では、ブザー音声鳴動中か否かが判定されるが、ここでは鳴動はないので「ＮＯ」との判定の基にステップ１５２に移され、また現に鳴動が無いので、ステップ１５３にてブザー，音声鳴動要求の有無について判定される。６番と８番の鳴動要求があるので「ＹＥＳ」との判定の基にプログラムはステップ１５５に移され、鳴動要求フラグＢＯＭＦの中の６番と８番の内６番のブザーが優先して選択され、鳴動中記憶フラグＭＫＦの中の６番をセットし、さらに鳴動音フレーズが選択される（ステップ１５５〜ステップ１５７）。
【００４７】
さらに、プログラムはステップ１５８に移され、クリック音ブザー６が鳴動させられる。ブザー・音声が鳴動中は、プログラムはステップ１６０からメインルーチンに戻され、さらにステップ１５１で「ＹＥＳ」、ステップ１６１で「ＮＯ」と判定されてステップ１５９に移される。鳴動が終了すると、プログラムはステップ１６２に移され、鳴動中記憶フラグＭＫＦを基に鳴動要求フラグＢＯＭＦの中の６番がリセットされ、鳴動中記憶フラグＭＫＦがリセットされ、鳴動音がオフにされた後（ステップ１６２〜１６４）、プログラムは終了する（ステップ１６０）。続いて、同様に８番の「給湯温度を変更します」が選択され、音声ガイダンス「給湯温度を変更します」の鳴動が行われる。
【００４８】
「受信情報解析ルーチン」では、受信情報有りか否かが判定されるが、ここではアップスイッチ７６ａオン送信後の受信情報が続けて送られてきているので、「ＹＥＳ」と判定されプログラムはステップ１１２に移され、表示データを更新すると共に、操作有効音の指示が有るか無いかが判定される（ステップ１１３）。ここでは、操作有効音指示があるのでその内容が表１に示すＣ：６＋８に分類される（ステップ１１４，１１５）。さらに、表示データの変化が解析され鳴動するブザーと音声が選択されるが（ステップ１１６，１１７）、ここでもＤ：８に分類されるが、合成した結果は操作を優先するのでＣ：６＋８となり、６番と８番の鳴動要求フラグＢＯＭＦがセットされる。
【００４９】
つぎに、今回ブザー音声要求ありに基づき、ブザー音声設定が表中の「Ｃ」または「Ｄ」に該当するか否かが判定されるが（ステップ１１８，１２１）、ブザー音声設定がＣ：６＋８なので「ＹＥＳ」との判定の基にプログラムはステップ１２３に移され、タイマーカウント中か否かが判定される。ここでは５秒以内にアップスイッチ７６ａがオンされておりタイマーカウント中なので、「ＹＥＳ」との判定の基にプログラムはステップ１２５に移され、選択した音声の８番をキャンセルし、６番の鳴動要求フラグＢＯＭＦのみとなる。さらに、タイマーを再び５秒にセットし（ステップ１２４）、受信情報ありの状態がリセットされ、その後プログラムの実行が終了する（ステップ１１９，１２０）。
【００５０】
「送信情報設定ルーチン」では、アップスイッチ７６ａが続けてオンにされていることによりプログラムはステップ１３５に移され、操作無効フラグＳＭＦが「１」か否かが判定される。ここでは前回「１」にしていないので、プログラムはステップ１３６に移され、前回スイッチがオフか否かが判定される。ここではオンなので、「ＮＯ」との判定の基にプログラムはステップ１３８に移され、送信情報としてオン中の操作スイッチすなわちアップスイッチ７６ａが取り入れられ、プログラムの実行が終了する（ステップ１３９）。
【００５１】
つぎに、「ブザー音声出力ルーチン」では、ブザー音声鳴動中か否かが判定されるが、ここでは鳴動はないので「ＮＯ」との判定の基にステップ１５２に移され、また現に鳴動が無いので、ステップ１５３にてブザー，音声鳴動要求の有無について判定される。６番の鳴動要求があるので「ＹＥＳ」との判定の基にプログラムはステップ１５５に移され、鳴動要求フラグＢＯＭＦの中から６番が選択され、鳴動中記憶フラグＭＫＦの６番がセットされ、さらに鳴動音フレーズが選択される（ステップ１５５〜ステップ１５７）。したがって、鳴動出力オンにより、クリック音ブザー６が鳴動するのみで、「給湯温度を変更します」の音声ガイダンスは行われない（ステップ１５８）。
【００５２】
すなわち、前回の鳴動後、同じ鳴動を発生するアップスイッチ７６ａの操作が５秒以内に行われると、クリック音ブザー６のみが鳴動させられ、「給湯温度を変更します」の音声ガイダンスは発生しない。以後の、アップスイッチ７６ａの操作についても、５秒以内であると、クリック音ブザー６のみの鳴動となる。ただし、前回の鳴動後、５秒を経過した後のアップスイッチ７６ａの操作の場合には、図９に示すステップ１２３にて「ＮＯ」と判定され、前回同様にクリック音ブザー６が鳴動し、さらに「給湯温度を変更します」の音声ガイダンスが行われる。
【００５３】
上述したように、数値設定等の繰り返し操作が必要なアップダウンスイッチ７６ａ，７６ｂの操作について、所定時間内に繰り返し受付けられた場合には、クリック音ブザー６が鳴動するのみで音声による「給湯温度を変更します」のガイダンスが省略されるので、入力操作されたことを明確に認識できる。さらに、短期間でのアップダウンスイッチ７６ａ，７６ｂの操作受付けのたびに「給湯温度を変更します」の音声ガイダンスが発生されることがないので、同じ音声を頻繁に聞かされることはない。一方、かかるアップダウンスイッチ７６ａ，７６ｂの入力操作を、所定時間経過後に行ったときは、「給湯温度を変更します」の音声ガイダンスが行われるので、入力操作内容を把握することができる。
【００５４】
上記実施形態に示したのは一例であるが、その他、表１に示した各状態に対する各操作、表２に示した各状態に対する表示変化についても、本発明が適用される。その他、上記実施形態に示したものは一例であり、本発明の趣旨を逸脱しない範囲で種々変更して実施することが可能である。
【産業上の利用可能性】
【００５５】
本発明は、数値設定等の繰り返し操作が必要な入力操作について、所定時間内に繰り返し受付けられた場合には、音声によるガイダンスが省略されるので、入力操作されたことを明確に認識できると共に、同じ音声ガイダンスを頻繁に聞かされることはなく、また所定時間経過後に入力操作を行ったときは、音声ガイダンスが行われるため、入力操作内容を把握することができるので、有用である。
【図面の簡単な説明】
【００５６】
【図１】本発明の一実施形態に係る給湯器を概略的に示すブロック図である。
【図２】給湯器のコントローラの電気的構成を概略的に示すブロック図である。
【図３】給湯リモコンを概略的に示す正面図である。
【図４】ふろリモコンを概略的に示す正面図である。
【図５】リモコンの制御装置の電気的構成を概略的に示すブロック図である。
【図６】リモコンの制御装置により実行される「メインプログラム」のフローチャートである。
【図７】リモコンの制御装置により実行される「タイマー割り込みプログラム」のフローチャートである。
【図８】同「メインプログラム」における「受信情報解析ルーチン」のフローチャートの一部である。
【図９】同「受信情報解析ルーチン」のフローチャートの一部である。
【図１０】同「メインプログラム」における「送信情報設定ルーチン」のフローチャートである。
【図１１】同「メインプログラム」における「ブザー音声出力ルーチン」のフローチャートの一部である。
【図１２】同「ブザー音声出力ルーチン」のフローチャートの一部である。
【図１３】ブザー及び音声の種類を説明する説明図である。
【図１４】ブザー及び音声の発生の態様を説明する説明図である。
【符号の説明】
【００５７】
１０…給湯部本体、３４…給湯電磁弁、３８…浴槽、４０…保温部本体、４９…循環ポンプ、６０…コントローラ、６１…制御部、６２……通信回路、７０…給湯リモコン、７１…ケース、７２…表示部、７３…給湯スイッチ、７４…スピーカ、７５…ふろスイッチ、７６ａ…アップスイッチ、７６ｂ…ダウンスイッチ、７７…カバー、７８…ふろ予約セット、８０…ふろリモコン、８１…ケース、８２…表示部、８３…給湯スイッチ、８４…スピーカ、８５…ふろスイッチ、８６…あつめスイッチ、８７…カバー、８８ａ…アップスイッチ、８８ｂ…ダウンスイッチ、８９…ぬるめスイッチ、９０…たし湯スイッチ、９１ａ…ふろ温度アップスイッチ、９１ｂ…ふろ温度ダウンスイッチ、９２…湯量スイッチ、９３…制御部、９４…ブザー音声発生回路、９５…通信回路。
【図１】
2008241241.tif 000005
【図２】
2008241241.tif 000006
【図３】
2008241241.tif 000007
【図４】
2008241241.tif 000008
【図５】
2008241241.tif 000009
【図６】
2008241241.tif 000010
【図７】
2008241241.tif 000011
【図８】
2008241241.tif 000012
【図９】
2008241241.tif 000013
【図１０】
2008241241.tif 000014
【図１１】
2008241241.tif 000015
【図１２】
2008241241.tif 000016
【図１３】
2008241241.tif 000017
【図１４】
2008241241.tif 000018